(57)【要約】【課題】ユーザの煩わしさを軽減することができる車両支援システムを提供する。【解決手段】車両支援システムは、時間情報と場所情報を有するユーザのスケジュール情報を少なくとも含む参照情報を取得する情報取得部２１６ｂと、情報取得部２１６ｂが取得した参照情報に基づいて、目的地を決定する目的地決定部２１６ｄと、所定情報の予測を実行する予測部２１６ｅと、予測部２１６ｅが予測した所定情報と、目的地決定部２１６ｄが決定した目的地とに基づいて、少なくとも車両の走行ルートを決定する走行条件決定部２１６ｆと、を備える。【選択図】図３
2020094840.tif 000002
【特許請求の範囲】
【請求項１】
時間情報と場所情報を有するユーザのスケジュール情報を少なくとも含む参照情報を取得する情報取得部と、
前記情報取得部が取得した前記参照情報に基づいて、目的地を決定する目的地決定部と、
所定情報の予測を実行する予測部と、
前記予測部が予測した前記所定情報と、前記目的地決定部が決定した前記目的地とに基づいて、少なくとも車両の走行ルートを決定する走行条件決定部と、
を備える車両支援システム。
【請求項２】
前記参照情報には、道路情報、または、天候情報の少なくともいずれかを含む地図情報が含まれる請求項１に記載の車両支援システム。
【請求項３】
前記天候情報は、日照情報、風情報、温度情報の少なくともいずれかを含む請求項２に記載の車両支援システム。
【請求項４】
前記道路情報は、渋滞情報、路面情報の少なくともいずれかを含む請求項２または３に記載の車両支援システム。
【請求項５】
前記車両に設けられ、光エネルギー、音エネルギー、振動エネルギー、風エネルギー、回生エネルギーの少なくともいずれかから電力を発電可能な発電部を備え、
前記予測部は、前記参照情報に基づいて、前記所定情報として前記発電部による発電量の予測を実行する請求項１から４のいずれか一項に記載の車両支援システム。
【請求項６】
前記走行条件決定部は、前記予測部が予測した前記発電量が最大となる前記走行ルートを決定する請求項５に記載の車両支援システム。
【請求項７】
前記走行条件決定部は、前記予測部が予測した前記発電量が最大となる出発時間を決定する請求項５または６に記載の車両支援システム。
【請求項８】
前記予測部は、前記車両の走行時に発電する走行時発電量と、前記車両の非走行時に発電する非走行時発電量とを予測する請求項５から７のいずれか一項に記載の車両支援システム。
【請求項９】
前記走行条件決定部は、前記予測部が予測した前記発電量が最大となるように、経由地における待機時間が設定された走行スケジュールを決定する請求項５から８のいずれか一項に記載の車両支援システム。
【請求項１０】
前記走行条件決定部が決定した前記走行ルート、および、前記走行スケジュールに従って前記車両を走行させる走行制御部を備える請求項９に記載の車両支援システム。
【発明の詳細な説明】
【技術分野】
【０００１】
本発明は、車両支援システムに関する。
【背景技術】
【０００２】
特許文献１には、太陽電池の電力を蓄積するバッテリの端子電圧が低下した場合に、太陽光照射量の多い経路を再探索して車両を案内する経路案内装置が開示されている。
【先行技術文献】
【特許文献】
【０００３】
【特許文献１】特開２０００−３５３２９５号公報
【発明の概要】
【発明が解決しようとする課題】
【０００４】
上記の経路案内装置は、ユーザにより目的地を設定する必要があり、煩わしいものであった。
【０００５】
本発明は、ユーザの煩わしさを軽減することができる車両支援システムを提供することを目的とする。
【課題を解決するための手段】
【０００６】
上記課題を解決するために、本発明の車両支援システムは、時間情報と場所情報を有するユーザのスケジュール情報を少なくとも含む参照情報を取得する情報取得部と、情報取得部が取得した参照情報に基づいて、目的地を決定する目的地決定部と、所定情報の予測を実行する予測部と、予測部が予測した所定情報と、目的地決定部が決定した目的地とに基づいて、少なくとも車両の走行ルートを決定する走行条件決定部と、を備える。
【０００７】
また、参照情報には、道路情報、または、天候情報の少なくともいずれかを含む地図情報が含まれてもよい。
【０００８】
また、天候情報は、日照情報、風情報、温度情報の少なくともいずれかを含んでもよい。
【０００９】
また、道路情報は、渋滞情報、路面情報の少なくともいずれかを含んでもよい。
【００１０】
また、車両に設けられ、光エネルギー、音エネルギー、振動エネルギー、風エネルギー、回生エネルギーの少なくともいずれかから電力を発電可能な発電部を備え、予測部は、参照情報に基づいて、所定情報として発電部による発電量の予測を実行してもよい。
【００１１】
また、走行条件決定部は、予測部が予測した発電量が最大となる走行ルートを決定してもよい。
【００１２】
また、走行条件決定部は、予測部が予測した発電量が最大となる出発時間を決定してもよい。
【００１３】
また、予測部は、車両の走行時に発電する走行時発電量と、車両の非走行時に発電する非走行時発電量とを予測してもよい。
【００１４】
また、走行条件決定部は、予測部が予測した発電量が最大となるように、経由地における待機時間が設定された走行スケジュールを決定してもよい。
【００１５】
また、走行条件決定部が決定した走行ルート、および、走行スケジュールに従って車両を走行させてもよい。
【発明の効果】
【００１６】
本発明によれば、ユーザの煩わしさを軽減することができる。
【図面の簡単な説明】
【００１７】
【図１】車両支援システムの概略的な構成を示した説明図である。
【図２】車両情報端末を備える車両を説明する概略図である。
【図３】車両情報端末の構成を示すブロック図である。
【図４】携帯情報端末およびサーバの構成を示すブロック図である。
【図５】車両支援システムの第１のシーケンス図である。
【図６】スケジュール情報一覧インタフェースおよびスケジュール新規作成インタフェースの一例を示す図である。
【図７】スケジュール情報登録処理を説明するフローチャートである。
【図８】車両支援システムの第２のシーケンス図である。
【図９】スケジュール情報取得処理時および地図情報取得処理時の車両情報端末表示部表示例を示す図である。
【図１０】発電量優先モードにおける走行ルート・走行スケジュールの詳細の一例を示す図である。
【図１１】走行条件選択インタフェースの一例を示す図である。
【図１２】スケジュール情報取得処理を説明するフローチャートである。
【図１３】地図情報取得処理を説明するフローチャートである。
【図１４】走行条件決定処理を説明するフローチャートである。
【発明を実施するための形態】
【００１８】
以下に添付図面を参照しながら、本発明の実施形態について詳細に説明する。かかる実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は、車両支援システムＳの概略的な構成を示した説明図である。車両支援システムＳは、携帯情報端末１００と、車両情報端末２００を有する車両２００ａと、サーバ３００と、通信基地局４００ａを有する通信網４００とを含んで構成される。
【００２０】
携帯情報端末１００および車両情報端末２００は、通信基地局４００ａおよび通信網４００を介してサーバ３００との通信を確立することができ、専用の画像を表示可能な電子機器を広く含む。携帯情報端末１００としては、例えば、スマートフォン等の携帯電話、パーソナルコンピュータ等が挙げられる。また、車両情報端末２００としては、ナビゲーションシステム等が挙げられる。本実施形態では、スマートフォンが携帯情報端末１００として用いられ、カーナビゲーションシステムが車両情報端末２００として用いられる場合について説明する。
【００２１】
通信基地局４００ａは、通信網４００と接続され、携帯情報端末１００または車両情報端末２００と無線により情報の送受信を行う。また、通信基地局４００ａは、携帯情報端末１００または車両情報端末２００から無線により送信された情報を、通信網４００を介してサーバ３００に送信する。また、通信基地局４００ａは、サーバ３００で生成された情報を携帯情報端末１００または車両情報端末２００に送信する。通信網４００は、携帯電話網、インターネット、ＬＡＮ（Local Area Network）、専用回線等で構成され、通信基地局４００ａを介して携帯情報端末１００とサーバ３００、または、車両情報端末２００とサーバ３００との通信を接続する。また、サーバ３００は、携帯情報端末１００から入力された情報を蓄積する。
【００２２】
図２は、車両情報端末２００を備える車両２００ａを説明する概略図である。図３は、車両情報端末２００の構成を示すブロック図である。車両２００ａは、車両情報端末２００、バッテリ２２１、走行モータ２２２、充電部２２３、発電部２２４、ＧＰＳ（Global Positioning System）受信機２２５、走行制御部２２６を備える。
【００２３】
本実施形態では、車両２００ａは、不図示のエンジン、および、走行モータ２２２を動力源として走行するハイブリッド自動車で構成される。ただし、車両２００ａは、エンジンのみで走行する自動車でもよいし、走行モータ２２２のみで走行する電気自動車であってもよい。
【００２４】
バッテリ２２１は、外部から供給される電力を蓄える。走行モータ２２２は、バッテリ２２１に蓄えられた電力により駆動する。充電部２２３は、車両２００ａの後方側に設けられ、外部から送電される電力をバッテリ２２１に充電する。
【００２５】
発電部２２４は、第１発電部２２４ａ〜第５発電部２２４ｅを備えている。第１発電部２２４ａは、太陽光等の光エネルギーから電力を発電可能であり、例えば、太陽光電池から構成される。また、第２発電部２２４ｂは、車両２００ａの周囲の環境音等の音エネルギーから電力を発電可能であり、例えば、圧電素子から構成される。また、第３発電部２２４ｃは、車両２００ａの走行時における振動等の振動エネルギーから電力を発電可能であり、例えば、圧電素子から構成される。また、第４発電部２２４ｄは、風エネルギーから電力を発電可能であり、例えば、風力タービンから構成される。また、第５発電部２２４ｅは、車両２００ａの走行時において、ブレーキが踏まれたり、アクセルが緩められたりすると、回生エネルギーから電力を発電可能であり、例えば、電動発電機から構成される。
【００２６】
ＧＰＳ受信機２２５は、車両２００ａの位置情報を衛星から受信する。走行制御部２２６は、車両２００ａの自動走行を制御する。
【００２７】
車両情報端末２００は、車両２００ａの車室に設けられる。図３に示すように、車両情報端末２００は、車両情報端末表示部２１１、車両情報端末操作部２１２、車両情報端末通信部２１３、車両情報端末バッファ２１４、車両情報端末記憶装置２１５、車両情報端末制御部２１６を備える。
【００２８】
車両情報端末表示部２１１は、液晶ディスプレイで構成され、車両情報端末制御部２１６の制御によってさまざまな画像が表示される。
【００２９】
車両情報端末操作部２１２は、車両情報端末２００の操作を受け付けるものであり、ボタンや車両情報端末表示部２１１に設けられるタッチパネル、あるいはこれらの組み合わせで構成される。ここでは、車両情報端末操作部２１２がタッチパネルで構成される場合について説明する。ただし、車両情報端末操作部２１２は、ユーザの操作を受け付けることができれば、その構成は特に限定されるものではない。
【００３０】
車両情報端末通信部２１３は、通信基地局４００ａへの情報の出力、および、通信基地局４００ａからの情報の入力に係る処理を行う。
【００３１】
車両情報端末バッファ２１４は、車両情報端末制御部２１６が処理を行う際に、種々の情報を一時的に保持するための記憶領域として機能する。
【００３２】
車両情報端末記憶装置２１５は、後述する走行条件を決定する際に必要となる参照情報を記憶する。
【００３３】
車両情報端末制御部２１６は、車両情報端末２００の全体を制御し、走行条件の決定、および、ナビゲーションを行う。車両情報端末制御部２１６は、現在地取得部２１６ａ、情報取得部２１６ｂ、表示制御部２１６ｃ、目的地決定部２１６ｄ、予測部２１６ｅ、走行条件決定部２１６ｆ、バッテリ残量取得部２１６ｇとして機能する。
【００３４】
現在地取得部２１６ａは、ＧＰＳ受信機２２５が受信した信号を解析し、現在地を特定する。
【００３５】
情報取得部２１６ｂは、車両情報端末通信部２１３から受信した参照情報を解析する。参照情報としては、詳しくは後述するが、時間情報と場所情報を有するユーザのスケジュール情報、および、道路情報と天候情報を有する地図情報を取得する。
【００３６】
表示制御部２１６ｃは、車両情報端末表示部２１１における画像の表示制御を行う。
【００３７】
目的地決定部２１６ｄは、情報取得部２１６ｂが取得したユーザのスケジュール情報に基づいて、目的地の決定を行う。
【００３８】
予測部２１６ｅは、情報取得部２１６ｂが取得した参照情報に基づいて、所定情報の予測を行う。本実施形態では、所定情報としては、現在地から目的地までの移動における発電部２２４による発電量が予測される。また、このとき、予測部２１６ｅは、車両２００ａの走行時に発電する走行時発電量と、車両の非走行時に発電する非走行時発電量とを予測する。
【００３９】
走行条件決定部２１６ｆは、予測部２１６ｅが予測した走行時発電量および非走行時発電量との合計が最大となるように、走行ルート、出発時間、および、経由地における待機時間を決定する。
【００４０】
バッテリ残量取得部２１６ｇは、バッテリ２２１のバッテリ残量を取得する。
【００４１】
図４は、携帯情報端末１００およびサーバ３００の構成を示すブロック図である。携帯情報端末１００は、携帯情報端末通信部１０１、携帯情報端末表示部１０２、携帯情報端末操作部１０３、携帯情報端末バッファ１０４、携帯情報端末記憶装置１０５、携帯情報端末制御部１０６を備える。
【００４２】
携帯情報端末通信部１０１は、通信基地局４００ａへの情報の出力、および、通信基地局４００ａからの情報の入力に係る処理を行う。
【００４３】
携帯情報端末表示部１０２は、液晶ディスプレイで構成され、携帯情報端末制御部１０６の制御によってさまざまな画像が表示される。
【００４４】
携帯情報端末操作部１０３は、携帯情報端末１００の操作を受け付けるものであり、ボタンや携帯情報端末表示部１０２に設けられるタッチパネル、あるいはこれらの組み合わせで構成される。ここでは、携帯情報端末操作部１０３がタッチパネルで構成される場合について説明する。ただし、携帯情報端末操作部１０３は、ユーザの操作を受け付けることができれば、その構成は特に限定されるものではない。
【００４５】
携帯情報端末バッファ１０４は、携帯情報端末制御部１０６が処理を行う際に、種々の情報を一時的に保持するための記憶領域として機能する。
【００４６】
携帯情報端末記憶装置１０５は、ユーザによって入力されたスケジュール情報を記憶する。
【００４７】
携帯情報端末制御部１０６は、携帯情報端末１００全体を管理および制御する機能を有する制御部である。
【００４８】
また、サーバ３００は、サーバ通信部３０１、サーバ記憶装置３０２、サーバ制御部３０３を備える。
【００４９】
サーバ通信部３０１は、通信網４００への情報の出力、および、通信網４００からの情報の入力に係る処理を行う。具体的には、サーバ通信部３０１は、携帯情報端末１００から出力されるスケジュール情報を受信する。また、車両情報端末２００から出力されるスケジュール情報要求信号、地図情報要求信号を受信する。また、サーバ通信部３０１は、スケジュール情報および地図情報を車両情報端末２００に出力する。
【００５０】
サーバ記憶装置３０２は、携帯情報端末１００から出力されたスケジュール情報を記憶する。また、道路情報および天候情報を含む地図情報を記憶する。ここで、地図情報には、渋滞情報、路面の勾配の情報を有する路面情報が含まれる。また、天候情報には、日射強度および日照時間の情報を有する日照情報、風速および風向きの情報を有する風情報、温度情報が含まれる。
【００５１】
サーバ制御部３０３は、サーバ３００全体を管理および制御する機能を有する。
【００５２】
次に、携帯情報端末１００および車両情報端末２００における制御処理、携帯情報端末１００または車両情報端末２００とサーバ３００との間で行われる通信処理の一例を、時系列に沿って説明する。
【００５３】
図５は、車両支援システムＳの第１のシーケンス図である。図５では、スケジュール情報登録処理の一部をＳ１００と示している。図５に示すように、携帯情報端末制御部１０６は、ユーザによってスケジュール情報が入力されると（Ｓ１００）、入力された情報を携帯情報端末記憶装置１０５に記憶するとともに（Ｓ１００）、スケジュール情報をサーバ３００に出力する（Ｓ１００）。そして、サーバ３００は、受信したスケジュール情報をサーバ記憶装置３０２に記憶させる（Ｓ３００）。
【００５４】
図６は、スケジュール情報一覧インタフェース１３１およびスケジュール新規作成インタフェース１２５の一例を示す図である。携帯情報端末１００の携帯情報端末表示部１０２はタッチパネルで構成されており、携帯情報端末操作部１０３としても機能する。図６（ａ）に示すように、携帯情報端末１００は、様々なアプリケーション１２０をインストールすることで様々なプログラムを実行することができる。そして、所定のアプリケーション１２０（アプリ１２０ａ）を実行すると、図６（ｂ）に示すように、スケジュール情報一覧インタフェース１３１が表示される。
【００５５】
ここでは、既にユーザによって入力され、携帯情報端末記憶装置１０５に記憶されているスケジュール情報１２３ａが表示されている。スケジュール情報１２３ａには、日付と開始時間と終了時間を示す時間情報１２４ａと、スケジュールの要件を示す内容情報１２４ｂと、スケジュールの位置情報を示す場所情報１２４ｃとが登録されている。なお、スケジュール情報一覧インタフェースを上下方向あるいは左右方向にスクロールすることで、スケジュール情報一覧インタフェース１３１において表示する日付や時間帯を変えることができる。
【００５６】
ユーザがスケジュール新規作成アイコン１３０を操作すると、図６（ｃ）に示すように、スケジュール新規作成インタフェース１２５が表示される。スケジュール新規作成インタフェース１２５は、図示のように、ユーザが入力可能な５つの仮登録情報欄１２５ａ〜１２５ｅを含む。ユーザが仮登録情報欄１２５ａ〜１２５ｅのそれぞれに入力した情報は、携帯情報端末バッファ１０４に仮登録される。
【００５７】
具体的には、仮登録情報欄１２５ａには、新規作成するスケジュールの日付情報が入力可能となっている。また、仮登録情報欄１２５ｂには、新規作成するスケジュールの開始時間情報が入力可能となっている。また、仮登録情報欄１２５ｃには、新規作成するスケジュールの終了時間情報が入力可能となっている。また、仮登録情報欄１２５ｄには、新規作成するスケジュールの場所情報が入力可能となっている。また、仮登録情報欄１２５ｅには、新規作成するスケジュールの内容情報が入力可能となっている。なお、スケジュール新規作成インタフェース１２５の表示中は、登録ボタン１２５ｆおよび終了アイコン１２５ｇが表示される。
【００５８】
そして、各仮登録情報欄１２５ａ〜１２５ｅが入力された状態で、ユーザによって登録ボタン１２５ｆが操作されると、携帯情報端末バッファ１０４に仮登録されている情報が、携帯情報端末記憶装置１０５に記憶（本登録）される。そして、図６（ｄ）に示すように、携帯情報端末記憶装置１０５に本登録されたスケジュール情報１２３ｂが、携帯情報端末表示部１０２に新たに表示されることとなる。
【００５９】
また、携帯情報端末制御部１０６は、携帯情報端末記憶装置１０５に新たに本登録されたスケジュール情報１２３ｂをサーバ３００に出力する。なお、この際に、ユーザＩＤの情報が併せて、サーバ３００に出力される。サーバ３００にスケジュール情報が出力されると、サーバ制御部３０３は、スケジュール情報をサーバ記憶装置３０２に記憶させる。
【００６０】
（スケジュール情報登録処理）
図７は、スケジュール情報登録処理を説明するフローチャートである。携帯情報端末制御部１０６は、アプリケーション１２０のうち、アプリ１２０ａが操作されると、スケジュール情報登録処理を開始する。
【００６１】
携帯情報端末制御部１０６は、まず、携帯情報端末表示部１０２にスケジュール情報一覧インタフェース１３１を表示する（Ｓ１００−１）。スケジュール情報一覧インタフェース１３１の表示中に、スケジュール新規作成アイコン１３０が操作されると（Ｓ１００−２のＹ）、携帯情報端末制御部１０６は、スケジュール新規作成インタフェース１２５を携帯情報端末表示部１０２に表示する（Ｓ１００−３）。
【００６２】
また、スケジュール新規作成インタフェース１２５の表示中に、ユーザが仮登録情報欄１２５ａ〜１２５ｅのいずれかに情報を入力すると（Ｓ１００−４のＹ）、携帯情報端末制御部１０６は、入力された情報を携帯情報端末バッファ１０４に仮登録する（Ｓ１００−５）。
【００６３】
また、スケジュール新規作成インタフェース１２５の表示中に、終了アイコン１２５ｇが操作されると（Ｓ１００−６のＹ）、携帯情報端末制御部１０６は、スケジュール新規作成インタフェース１２５を非表示にする（Ｓ１００−７）。
【００６４】
また、スケジュール新規作成インタフェース１２５の表示中に、登録ボタン１２５ｆが操作されると（Ｓ１００−８のＹ）、携帯情報端末制御部１０６は、携帯情報端末バッファ１０４に仮登録されている情報を携帯情報端末記憶装置１０５に記憶（転記）させ（Ｓ１００−９）、携帯情報端末記憶装置１０５に記憶した情報を、スケジュール情報としてサーバ３００に出力する（Ｓ１００−１０）。
【００６５】
携帯情報端末制御部１０６は、スケジュール情報登録処理中、予め設定された終了条件が成立したかを判定しており、終了条件が成立すると（Ｓ１００−１１のＹ）、スケジュール情報一覧インタフェース１３１を非表示として（Ｓ１００−１２）、スケジュール情報登録処理を終了する。なお、終了条件としては、不図示の終了ボタンが操作されたこと等が挙げられる。
【００６６】
上記のようにして、サーバ３００にスケジュール情報が出力されると、図５に示すように、サーバ制御部３０３は、スケジュール情報をサーバ記憶装置３０２に記憶させる（Ｓ３００）。
【００６７】
このようにして、サーバ記憶装置３０２にスケジュール情報が記憶されると、ユーザは、車両情報端末２００を操作することで、目的地までの走行ルート・走行スケジュールを設定することができる。
【００６８】
図８は、車両支援システムＳの第２のシーケンス図である。図８では、車両情報端末２００で実行されるスケジュール情報取得処理の一部をＳ２００と示し、車両情報端末２００で実行される地図情報取得処理の一部をＳ２０１と示している。また、車両情報端末２００で実行される走行条件決定処理の一部をＳ２０２と示し、車両情報端末２００で実行される自動走行処理の一部をＳ２０３と示している。
【００６９】
図８に示すように、車両情報端末２００において、ユーザの所定の操作がなされると、車両情報端末制御部２１６は、スケジュール情報要求信号をサーバ３００に出力する（Ｓ２００）。サーバ３００では、スケジュール情報要求信号を受信すると、サーバ記憶装置３０２に記憶されているスケジュール情報を車両情報端末へ出力する（Ｓ３０１）。スケジュール情報を受信すると、車両情報端末２００では、受信したスケジュール情報を車両情報端末記憶装置２１５に記憶する（Ｓ２００）。そして、記憶したスケジュール情報に基づいて、目的地の決定を行う（Ｓ２００）。
【００７０】
目的地が決定されると、車両情報端末制御部２１６は、地図情報要求信号をサーバ３００に出力する（Ｓ２０１）。サーバ３００では、地図情報要求信号を受信すると、サーバ記憶装置３０２に記憶されている地図情報を車両情報端末へ出力する（Ｓ３０２）。地図情報を受信すると、車両情報端末２００では、受信した地図情報を車両情報端末記憶装置２１５に記憶する（Ｓ２０１）。
【００７１】
そして、車両情報端末２００の予測部２１６ｅは、取得した参照情報（スケジュール情報および地図情報）と、決定した目的地と、現在地取得部２１６ａが取得した現在地とに基づいて、現在地から目的地までの移動における発電部２２４による発電量（走行時発電量および非走行時発電量）の予測を行う（Ｓ２０２）。そして、車両情報端末２００の走行条件決定部２１６ｆは、予測部２１６ｅが予測した走行時発電量および非走行時発電量との合計が最大となるように、走行ルート・走行スケジュールの候補を決定する（Ｓ２０２）。車両情報端末２００の走行制御部２２６は、決定された走行ルート・走行スケジュールに基づいて、自動走行処理を実行する（Ｓ２０３）。
【００７２】
図９は、スケジュール情報取得処理時および地図情報取得処理時の車両情報端末表示部２１１の表示例を示す図である。例えば、ナビゲーションシステムが起動されて目的地が未だ設定されていない場合に、図９（ａ）に示すように、車両情報端末２００の車両情報端末表示部２１１には、地図情報が表示される。車両情報端末表示部２１１はタッチパネルで構成されており、車両情報端末操作部２１２としても機能する。車両情報端末操作部２１２に対して所定の操作が行われると、図９（ａ）に示すように、車両情報端末表示部２１１の下部にメニューバー２３０が表示される。ここでは、メニューバー２３０に３つのタブが表示されており、各タブに、「現在地」、「目的地手動入力」、「目的地自動設定」のテキストが表示されている。ユーザが「目的地自動設定」と記されたタブを操作すると、車両情報端末制御部２１６がスケジュール情報要求信号をサーバ３００に出力する。
【００７３】
このとき、表示制御部２１６ｃは、図９（ｂ）に示すように、車両情報端末表示部２１１に「スケジュール情報取得中」と表示する。そして、サーバ３００との通信が確立できなかった場合、表示制御部２１６ｃは、図９（ｃ）に示すように、車両情報端末表示部２１１に「サーバに接続できませんでした」と表示する。
【００７４】
一方、サーバ３００との通信が確立されると、サーバ３００は、サーバ記憶装置３０２に記憶されているスケジュール情報を車両情報端末２００に出力する。車両情報端末２００は、取得したスケジュール情報に基づいて、目的地を決定するとともに、情報取得部２１６ｂが地図情報要求信号をサーバ３００に出力する。
【００７５】
このとき、表示制御部２１６ｃは、図９（ｄ）に示すように、車両情報端末表示部２１１に「地図情報取得中」と表示する。そして、サーバ３００との通信が確立できなかった場合、表示制御部２１６ｃは、図９（ｃ）に示すように、車両情報端末表示部２１１に「サーバに接続できませんでした」と表示する。
【００７６】
一方、サーバ３００との通信が確立されると、サーバ３００は、サーバ記憶装置３０２に記憶されている地図情報を車両情報端末２００に出力する。ここで、地図情報には、道路情報（渋滞情報、路面の勾配の情報）および天候情報（日射強度および日照時間の情報を有する日照情報、風速および風向きの情報を有する風情報、温度情報）が含まれる。情報取得部２１６ｂが地図情報を取得すると、予測部２１６ｅは、情報取得部２１６ｂが取得した参照情報（スケジュール情報および地図情報）に基づいて、現在地から目的地までの移動における発電部２２４による発電量（走行時発電量および非走行時発電量）等の予測を行う。また、走行条件決定部２１６ｆは、目的地到着までの所要時間が短時間となる時間優先モードに対応する、走行ルート・走行スケジュール候補の詳細を決定する。これらの走行ルート・走行スケジュールの詳細の決定中においては、表示制御部２１６ｃは、図９（ｅ）に示すように、車両情報端末表示部２１１に「走行条件抽出中」と表示する。以下に、走行条件決定部２１６ｆによって決定された発電量優先モードにおける走行ルート・走行スケジュール候補の詳細の一例を示す。なお、発電量優先モード以外の走行ルート・走行スケジュール候補の詳細については、省略する。
【００７７】
図１０は、発電量優先モードにおける走行ルート・走行スケジュール候補の詳細の一例を示す図である。走行条件決定部２１６ｆは、予測部２１６ｅが予測した走行時発電量および非走行時発電量との合計が最大となる発電量優先モードに対応する、走行ルート・走行スケジュール候補の詳細を決定する。なお、図１０に示す（１）および（３）が非走行時に該当し、（２）および（４）が走行時に該当する。図１０に示すように、走行時発電量および非走行時発電量における、第１発電部２２４ａ〜第５発電部２２４ｅの各々における発電量が予測される。
【００７８】
図１０の（１）では、情報取得部２１６ｂが取得した渋滞情報に基づいて、渋滞が解消される時刻（２２：００）まで、出発時間を遅らせて、出発地点で待機することが設定されている。
【００７９】
図１０の（２）では、出発時刻（２２：００）が設定されるとともに、経由地（〇ＳＡ）までの詳細な走行ルートが設定される。ここでは、出発地点から「〇号線」を通って「〇ＩＣ」から「〇高速道路」に入って、経由地（〇ＳＡ）へ向かう走行ルートが設定される。なお、経由地（〇ＳＡ）は、日照強度が強い地点が選択される。
【００８０】
また、経由地（〇ＳＡ）へ到着する時刻が日の出時刻となるように経由地（〇ＳＡ）への走行ルートの選択が行われる。ここでは、経由地（〇ＳＡ）へ到着するまでの間が日の出前であるため、第１発電部２２４ａによる発電量ではなく、主に、第４発電部２２４ｄおよび第５発電部２２４ｅによる発電量が最大となる走行ルートが選択されている。例えば、風向きが向かい風であり、下り坂が多い走行ルートが選択される。
【００８１】
図１０の（３）では、経由地（〇ＳＡ）における待機時間が設定される。ここでは、日の出後において、第１発電部２２４ａによる太陽光発電を行うために、３時間待機を行うことが設定されている。
【００８２】
図１０の（４）では、経由地（〇ＳＡ）から目的地（Ａ事業所）までの詳細な走行ルートが設定される。ここでは、主に、第１発電部２２４ａ、第４発電部２２４ｄおよび第５発電部２２４ｅによる発電量が最大となるように走行ルートが選択されている。ここでは、経由地（〇ＳＡ）から「〇高速道路」を走行し、「×ＩＣ」から「×号線」に降りて、目的地（Ａ事業所）へ向かう走行ルートが設定される。ここでは、日照強度が強く、風向きが向かい風であり、下り坂が多い走行ルートが選択される。
【００８３】
上記のようにして設定された走行ルート・走行スケジュール候補に基づいて、図１０の（１）〜（４）の走行時および非走行時それぞれの発電量の合計値（ここでは、２００ｋＷｈ）が予測される。
【００８４】
図１１は、走行条件選択インタフェース２４０の一例を示す図である。上記のようにして、走行条件決定部２１６ｆが走行ルート・走行スケジュール候補を決定すると、図１１（ａ）に示すように、表示制御部２１６ｃは、走行条件選択インタフェース２４０を車両情報端末表示部２１１に表示する。走行条件選択インタフェース２４０は、車両情報端末表示部２１１の上部に表示される２つのタブ２４０ａ、および、確定ボタン２４１を含む。２つのタブ２４０ａには、それぞれ「発電量優先」、「時間優先」と記されたテキストが表示されている。
【００８５】
ここで、タブ２４０ａに表示されるテキストは、走行ルート・走行スケジュール候補を抽出する際の優先事項を示している。具体的には、「発電量優先」は、目的地到着までの間に、車両２００ａにおける発電量の向上を最優先に考慮した抽出条件にしたがって抽出された走行ルート・走行スケジュール候補を示している。
【００８６】
また、「時間優先」は、目的地到着までの所要時間が短時間となることを最優先に考慮した抽出条件にしたがって抽出された走行ルート・走行スケジュール候補を示している。
【００８７】
走行条件選択インタフェース２４０の初期画面では、図１１（ａ）に示すように、「発電量優先」と記されたタブ２４０ａが強調表示されている。また、このとき、車両情報端末表示部２１１には、「発電量優先」の走行ルート・走行スケジュール候補の走行条件２４２が表示されている。ここでは、走行条件２４２の一例として、目的地、予測発電量、出発時間、予測到着時間、経由地、経由地における待機時間、走行距離が表示されている。このとき、ユーザは、表示された走行条件２４２の一部、または全部を変更してもよい。また、走行条件決定部２１６ｆは、ユーザによって変更された走行条件２４２に基づいて、走行ルート・走行スケジュール候補の決定を再度行ってもよい。
【００８８】
また、例えば、図１１（ａ）に示す状態で、「時間優先」と記されたタブ２４０ａが操作されると、図１１（ｂ）に示すように、「時間優先」の走行ルート・走行スケジュール候補の詳細情報が表示される。このように、走行条件選択インタフェース２４０は、複数の走行ルート・走行スケジュール候補を抽出し、各走行ルート・走行スケジュール候補に係る情報を切替表示することができる。そして、走行条件選択インタフェース２４０の表示中に、確定ボタン２４１が操作されると、そのときに表示されていた走行ルート・走行スケジュール候補をユーザが選択したこととなる。
【００８９】
以下に、まず、サーバ３００に対してスケジュール情報の要求を行うためのスケジュール情報取得処理（図８のＳ２００）について、図１２を用いて詳細に説明する。
【００９０】
（スケジュール情報取得処理）
図１２は、スケジュール情報取得処理を説明するフローチャートである。情報取得部２１６ｂは、メニューバー２３０のうち、「目的地自動設定」のテキストが表示されたタブが操作されると、スケジュール情報取得処理を開始する。
【００９１】
まず、車両情報端末制御部２１６が、スケジュール情報要求信号をサーバ３００に出力する（Ｓ２００−１）。なお、車両情報端末２００の車両情報端末記憶装置２１５には、予めユーザＩＤが記憶されており、このユーザＩＤを含んだスケジュール情報要求信号をサーバ３００に出力する。これによって、サーバ制御部３０３は、サーバ記憶装置３０２に記憶されている、ユーザのスケジュール情報を特定することができる。また、表示制御部２１６ｃは、図９（ｂ）に示すように車両情報端末表示部２１１の表示を切り替えるスケジュール情報取得開始処理を行う（Ｓ２００−２）。
【００９２】
また、車両情報端末制御部２１６は、スケジュール情報取得処理においてタイマをセットする。車両情報端末制御部２１６は、スケジュール情報が入力されるまでの間（Ｓ２００−３のＮ）、タイマを更新するタイマ更新処理を行い（Ｓ２００−４）、スケジュール情報要求信号を出力してから所定時間以上が経過したか、つまり、タイムオーバーかを判定する（Ｓ２００−５）。タイムオーバーとなった場合（Ｓ２００−５のＹ）、車両情報端末制御部２１６は、スケジュール情報取得終了処理（Ｓ２００−６）を行い、スケジュール情報取得処理を終了する。なお、スケジュール情報取得終了処理では、例えば、図９（ｃ）に示すように車両情報端末表示部２１１の表示が切り替えられる。
【００９３】
一方、図８に示すように、サーバ３００では、スケジュール情報要求信号が入力されると、サーバ記憶装置３０２に記憶されているスケジュール情報の出力（Ｓ３０１）が行われる。ここでは、スケジュール情報要求信号がサーバ３００に入力されてから所定時間内に、スケジュール情報が車両情報端末２００に出力される。
【００９４】
車両情報端末２００においてスケジュール情報が入力された場合（図１２のＳ２００−３のＹ）、情報取得部２１６ｂは、スケジュール情報を車両情報端末記憶装置２１５に記憶する（Ｓ２００−７）。
【００９５】
そして、目的地決定部２１６ｄは、情報取得部２１６ｂが取得したスケジュール情報に基づいて、目的地の決定を行う（Ｓ２００−８）。目的地が決定されると、情報取得部２１６ｂは、地図情報取得処理を実行する（Ｓ２０１）。次に、この地図情報取得処理について説明する。
【００９６】
（地図情報取得処理）
図１３は、地図情報取得処理を説明するフローチャートである。まず、車両情報端末制御部２１６が、地図情報要求信号をサーバ３００に出力する（Ｓ２０１−１）。また、表示制御部２１６ｃは、図９（ｄ）に示すように車両情報端末表示部２１１の表示を切り替える地図情報取得開始処理を行う（Ｓ２０１−２）。
【００９７】
また、車両情報端末制御部２１６は、地図情報取得処理においてタイマをセットする。車両情報端末制御部２１６は、地図情報が入力されるまでの間（Ｓ２０１−３のＮ）、タイマを更新するタイマ更新処理を行い（Ｓ２０１−４）、地図情報要求信号を出力してから所定時間以上が経過したか、つまり、タイムオーバーかを判定する（Ｓ２０１−５）。タイムオーバーとなった場合（Ｓ２０１−５のＹ）、表示制御部２１６ｃは、地図情報取得終了処理（Ｓ２０１−６）を行い、地図情報取得処理を終了する。なお、地図情報取得終了処理では、例えば、図９（ｃ）に示すように車両情報端末表示部２１１の表示が切り替えられる。
【００９８】
一方、図８に示すように、サーバ３００では、地図情報要求信号が入力されると、サーバ記憶装置３０２に記憶されている地図情報の出力（Ｓ３０２）が行われる。ここでは、地図情報要求信号がサーバ３００に入力されてから所定時間内に、地図情報が車両情報端末２００に出力される。
【００９９】
車両情報端末２００において地図情報が入力された場合（図１３のＳ２０１−３のＹ）、情報取得部２１６ｂは、地図情報を車両情報端末記憶装置２１５に記憶する（Ｓ２０１−７）。
【０１００】
そして、地図情報が車両情報端末記憶装置２１５に記憶されると、走行条件決定部２１６ｆは、走行条件決定処理を実行する（Ｓ２０２）。次に、この走行条件決定処理について説明する。
【０１０１】
（走行条件決定処理）
図１４は、走行条件決定処理を説明するフローチャートである。まず、表示制御部２１６ｃが、図９（ｅ）に示すように車両情報端末表示部２１１の表示を切り替える走行条件決定開始処理を行う（Ｓ２０２−１）。
【０１０２】
また、予測部２１６ｅは、情報取得部２１６ｂが取得した参照情報（スケジュール情報および地図情報）と、目的地決定部２１６ｄが決定した目的地と、現在地取得部２１６ａが取得した現在地とに基づいて、現在地から目的地までの移動における発電部２２４による発電量（走行時発電量および非走行時発電量）の予測を行う（Ｓ２０２−２）。
【０１０３】
そして、走行条件決定部２１６ｆは、予測部２１６ｅが予測した走行時発電量および非走行時発電量との合計が最大となるように、走行ルート候補・走行スケジュール（本実施形態では、出発時間、および、経由地における待機時間）候補を決定し、表示する（Ｓ２０２−３）。また、走行条件決定部２１６ｆは、目的地到着までの所要時間が短時間となるように、走行ルート・走行スケジュール候補を決定する。ここでは、図１１（ａ）に示すように、走行条件選択インタフェース２４０において、「発電量優先」の走行ルート・走行スケジュール候補の詳細情報が表示される。
【０１０４】
また、車両情報端末制御部２１６は、走行条件決定処理においてタイマをセットする（Ｓ２０２−４）。車両情報端末制御部２１６は、走行条件選択インタフェース２４０の確定ボタン２４１が操作されるまでの間（Ｓ２０２−５のＮ）、タイマを更新するタイマ更新処理を行い（Ｓ２０２−６）、走行ルート・走行スケジュール候補を表示してから所定時間以上が経過したか、つまり、タイムオーバーかを判定する（Ｓ２０２−７）。タイムオーバーとなった場合（Ｓ２０２−７のＹ）、表示制御部２１６ｃは、走行条件決定終了処理（Ｓ２０２−８）を行い、走行条件決定処理を終了する。なお、走行条件決定終了処理では、例えば、走行条件選択インタフェース２４０を非表示にする。
【０１０５】
走行条件選択インタフェース２４０の確定ボタン２４１が操作された場合（Ｓ２０２−５のＹ）、走行制御部２２６は、自動走行処理（Ｓ２０３）を実行し、走行条件決定処理を終了する。走行制御部２２６は、走行条件選択インタフェース２４０の表示中に確定ボタン２４１が操作されて選択された走行ルート・走行スケジュールに従って、車両２００ａの自動走行を制御する。
【０１０６】
上記の車両支援システムＳによれば、目的地決定部２１６ｄは、携帯情報端末１００を用いて予め入力されたスケジュール情報に基づいて目的地を決定するので、ユーザの煩わしさを軽減することができる。
【０１０７】
また、走行条件決定部２１６ｆは、予測部２１６ｅが予測した走行時発電量および非走行時発電量との合計が最大となるように、走行ルート、出発時間、および、経由地における待機時間を決定するため、発電量を最大化させることが可能となる。
【０１０８】
以上、添付図面を参照しながら説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１０９】
上記実施形態では、参照情報に、スケジュール情報と地図情報とが含まれることとしたが、参照情報には、少なくともスケジュール情報が含まれていればよい。
【０１１０】
また、上記実施形態では、「発電量優先」および「時間優先」の２種類の走行ルート・走行スケジュール候補をユーザに提示することとしたが、走行ルート・走行スケジュール候補は１種類、あるいは、３種類以上でもよい。例えば、太陽光発電の効率が良い経由地において所定時間待機することで、非走行時発電量を最大化させてもよい。また、回生発電を効率よく行うことができる勾配の道路を選択して、走行時発電量を最大化させてもよい。また、渋滞を避けるように、走行ルートの選択、あるいは、出発時間の設定をすることで、走行時における、消費電力を最小化させてもよい。また、バッテリ残量取得部２１６ｇが取得したバッテリ残量に応じて、適切な発電量となるように、走行条件を変更して決定してもよい。例えば、バッテリ残量が比較的多く、消費する電力が比較的少ない場合には、発電量を比較的少なくし、バッテリ残量が比較的少なく、消費する電力が比較的多い場合には、発電量を比較的多くすることができる。いずれにしても、走行条件決定部２１６ｆは、予測部２１６ｅが予測した発電量に基づいて、走行条件を決定することが好ましい。
【０１１１】
また、上記実施形態では、走行ルート・走行スケジュールを決定する際に、スケジュール情報および地図情報が参照情報としてサーバ３００から車両情報端末２００へ出力される。しかしながら、走行ルート・走行スケジュールを決定する際に、地図情報は必須ではない。
【０１１２】
また、上記実施形態では、現在地から目的地までの移動における発電部２２４による発電量を予測部２１６ｅが予測する所定情報としたが、これに限定されるものではない。例えば、予測部２１６ｅは、車両２００ａにおける電費や燃費などの消費エネルギーに対する走行距離の効率性を予測してもよい。
【０１１３】
また、上記実施形態では、目的地決定の際に、サーバ記憶装置３０２に記憶されたスケジュール情報を取得することとしたが、サーバ３００を介さずに、車両情報端末２００が携帯情報端末１００からスケジュール情報を取得してもよい。いずれにしても、スケジュール情報に基づいて、目的地を決定すればよい。
【０１１４】
また、上記実施形態では、車両情報端末２００の予測部２１６ｅが、発電量の予測を行い、車両情報端末２００の走行条件決定部２１６ｆにおいて、走行ルート・走行スケジュールの候補を決定することとしたが、本発明はこれに限定されない。すなわち、サーバ３００に設けられた予測部が発電量の予測を行い、サーバ３００に設けられた走行条件決定部において、走行ルート・走行スケジュールの候補を決定し、この決定した走行ルート・走行スケジュール候補を車両情報端末２００へと出力して表示することとしてもよい。
【０１１５】
また、上記実施形態では、ユーザが車両情報端末２００を操作して、走行ルート・走行スケジュールを決定することとしたが、ユーザの車両情報端末２００の操作を介さずに走行ルート・走行スケジュールを決定することとしてもよい。例えば、携帯情報端末１００上の操作に基づいて、走行条件の選択を自動で行うこととしてもよい。これにより、ユーザの煩わしさを軽減することができる。
【０１１６】
また、上記実施形態では、車両２００ａが自動走行機能を有することとしたが、自動走行機能は必須ではない。
【０１１７】
また、上記実施形態では、発電部２２４が第１発電部２２４ａ〜第５発電部２２４ｅを備える場合を示したが、発電部２２４は、光エネルギー、音エネルギー、振動エネルギー、風エネルギー、回生エネルギーの少なくともいずれかから電力を発電可能であればよい。
【産業上の利用可能性】
【０１１８】
本発明は、車両支援システムに利用できる。
【符号の説明】
【０１１９】
Ｓ  車両支援システム
１２３ａ、１２３ｂ  スケジュール情報
１２４ａ  時間情報
１２４ｃ  場所情報
２００ａ  車両
２１６ｂ  情報取得部
２１６ｄ  目的地決定部
２１６ｅ  予測部
２１６ｆ  走行条件決定部
２２４  発電部
２２６  走行制御部
【図１】
2020094840.tif 000003
【図２】
2020094840.tif 000004
【図３】
2020094840.tif 000005
【図４】
2020094840.tif 000006
【図５】
2020094840.tif 000007
【図６】
2020094840.tif 000008
【図７】
2020094840.tif 000009
【図８】
2020094840.tif 000010
【図９】
2020094840.tif 000011
【図１０】
2020094840.tif 000012
【図１１】
2020094840.tif 000013
【図１２】
2020094840.tif 000014
【図１３】
2020094840.tif 000015
【図１４】
2020094840.tif 000016